(57)【要約】【課題】複数の視聴者が複数の画面の画像と音声の情報をリモコンからの制御によりそれぞれ容易に獲得することができる。【解決手段】この番組同時視聴システムは、リモコン操作時に本体の受光部より赤外線の強度を調べ（Ｓ１）、赤外線の強度によりリモコンの位置を計算する（Ｓ２）。リモコンの位置に応じて、画面の割当を決定し（Ｓ３）、割当決定された画面が割り当てられたことをユーザに通知する（Ｓ４）。割当決定に対しては、再割当が可能である（Ｓ５）。【選択図】図１
2009065292.tif 000002
【特許請求の範囲】
【請求項１】
複数の受信部を介して受信した複数の番組の複数の画面を同時に表示部に表示して、音声出力部に音声を出力することにより、複数の視聴者が同時に複数の番組を視聴することができる番組同時視聴システムにおいて、
前記複数の画面のうちのいずれかの画面の選択及び前記選択された画面に対する表示処理の操作を入力するための複数の入力手段と、
前記入力手段と画面の相対的位置に基づいて前記入力手段と画面の割り当てを行う割当手段と、
前記割当手段により割り当てられた前記入力手段からの画面の選択操作、画面の表示処理の操作及び前記表示部における画面の表示領域を変更する変更手段と、
を備え、
前記変更手段により変更された画面を他の画面と共に前記表示部に表示することを特徴とする番組同時視聴システム。
【請求項２】
請求項１に記載の番組同時視聴システムにおいて、
前記入力手段は赤外線の発光部を有するリモートコントローラであるとき、前記表示部は赤外線の受光部を有し、
前記割当手段は、前記リモートコントローラの操作時に前記受光部で受光された前記リモートコントローラの赤外線の強度により、前記リモートコントローラと画面の位置を求め、求められた前記位置に応じて画面の割当を決定する
ことを特徴とする番組同時視聴システム。
【請求項３】
請求項２に記載の番組同時視聴システムにおいて、
前記赤外線の受光部は、前記表示部の表示領域の外側に沿って複数配置される
ことを特徴とする番組同時視聴システム。
【請求項４】
請求項３に記載の番組同時視聴システムにおいて、
前記割当手段により決定された前記画面の割当は、前記表示部に表示又は前記リモートコントローラに通知され、
前記画面の割当に対して、前記リモートコントローラの操作に基づいて前記割当手段による再割当の処理が可能である
ことを特徴とする番組同時視聴システム。
【請求項５】
請求項１に記載の番組同時視聴システムにおいて、
前記入力手段は赤外線の発光部及び前記表示部の画面を撮影画像として撮影する撮像部を有するリモートコントローラであるとき、前記表示部は赤外線の受光部を有し、
前記リモートコントローラの操作時に前記撮像部は前記表示部の画面の撮影画像を撮影し、前記表示部の画面の撮影画像により、前記リモートコントローラと画面の位置を求め、
前記割当手段は、前記受光部で受光された前記撮影画像により求められた前記位置に応じて画面の割当を決定する
ことを特徴とする番組同時視聴システム。
【請求項６】
請求項５に記載の番組同時視聴システムにおいて、
前記表示部は画面の表示領域に複数のマーカーを表示する
ことを特徴とする番組同時視聴システム。
【請求項７】
請求項６に記載の番組同時視聴システムにおいて、
前記撮像部は、予め定められた前記表示部の画面の基準画像と、前記撮像画像とにおける前記マーカーの位置のずれから
前記リモートコントローラの位置を算出することを特徴とする番組同時視聴システム。
【請求項８】
請求項７に記載の番組同時視聴システムにおいて、
予め前記表示部に対する前記リモートコントローラの移動範囲で、前記撮像部は前記マーカーの位置のずれの範囲を実測するようにし、前記実測点以外の前記マーカーの位置のずれを補間することを特徴とする番組同時視聴システム。
【請求項９】
請求項１に記載の番組同時視聴システムにおいて、
前記複数の入力手段は、本体側の表示部及び音声出力部を制御するリモートコントローラであって、
前記複数の入力手段からの操作入力に基づいて前記複数の入力手段の本体側の表示部との相対位置を求め、求めた相対位置に画像の表示処理の操作をする音像の定位する位置を制御する
ことを特徴とする番組同時視聴システム。
【請求項１０】
請求項９に記載の番組同時視聴システムにおいて、
前記音声出力部は、音声出力の向きを調整可能とする指向性を有するスピーカーであって、前記表示部の画面の周辺に複数配置される
ことを特徴とする番組同時視聴システム。
【請求項１１】
複数の受信部を介して受信した複数の番組の複数の画面を同時に表示部に表示して、音声出力部に音声を出力することにより、複数の視聴者が同時に複数の番組を視聴することができる番組同時視聴方法において、
前記複数の画面のうちのいずれかの画面の選択及び前記選択された画面に対する表示処理の操作を入力手段から入力するための複数の入力ステップと、
前記入力手段と画面の相対的位置に基づいて前記入力手段と画面の割り当てを行う割当ステップと、
前記割当ステップにより割り当てられた前記入力手段からの画面の選択操作、画面の表示処理の操作及び前記表示部における画面の表示状態に基づいて、前記表示部における画面の表示領域を変更する変更ステップと、
を含み、
前記変更ステップにより表示領域が変更された画面を他の画面と共に前記表示部に表示することを特徴とする番組同時視聴方法。
【請求項１２】
複数の受信部を介して受信した複数の番組の複数の画面を同時に表示部に表示して、音声出力部に音声を出力することにより、複数の視聴者が同時に複数の番組を視聴することができる番組同時視聴システムのコンピュータにおいて実行される番組同時視聴プログラムであって、
前記コンピュータに、
前記複数の画面のうちのいずれかの画面の選択及び前記選択された画面に対する表示処理の操作を入力手段から入力するための複数の入力を行う機能と、
前記入力手段と画面の相対的位置に基づいて前記入力手段と画面の割り当てを行う機能と、
前記割当機能により割り当てられた前記入力手段からの前記画面の選択操作、画面の表示処理の操作及び前記表示部における画面の表示状態に基づいて、前記表示部における画面の表示領域を変更する機能と、
前記表示領域が変更された画面を他の画面と共に前記表示部に表示する機能と、
を実現させることを特徴とする番組同時視聴プログラム。
【発明の詳細な説明】
【技術分野】
【０００１】
本発明は、複数の視聴者が同時に複数の番組を視聴することができる番組同時視聴システム、番組同時視聴方法及び番組同時視聴プログラムに関するものである。
【背景技術】
【０００２】
標準的なテレビ受像機では、受信機を一つ有し、その受信機で受信した受信チャンネルの番組の画像をディスプレイに表示すると共に、音声をスピーカーから出力するようにしていた。この場合、そのときテレビ受像機で選択している受信チャンネル以外の情報を視聴者は得ることができなかった。
【０００３】
一方で、二つ以上の受信機を有し、同時に二つ以上の受信チャンネルの番組の画像をディスプレイに表示するような機能を有するテレビ受像機も存在している（特許文献１参照）。また、二つ以上の受信機のうちの一つを一定時間毎に受信チャンネルを変えることで、二つ以上の受信チャンネルのインデックス画像を表示する機能を有するテレビ受像機も存在している（特許文献２参照）。
【０００４】
【特許文献１】特開平６−１０２８５１号公報
【特許文献２】特開２００５−３３５７２号公報
【発明の開示】
【発明が解決しようとする課題】
【０００５】
上述した特許文献１、２に記載の技術のように、同時に二つ以上の番組の画像又はインデックス画像をディスプレイに表示するテレビ受像機では、高価な映像受信機を複数用意する必要がある。
【０００６】
さらに、画面サイズは予め定められているため、複数の画面の表示サイズを受信環境に応じて任意に変更することができない。また、一方で音声については、一つの受信チャンネルの画面に対応した音声だけしか選択することができないという不都合があった。
【０００７】
従って、二人以上の視聴者がこのような表示機能を有するテレビ受像機で複数の番組の画面を見ても、画面の表示サイズを変更することができず、音声については複数の画面のうちの一つの受信チャンネルの音声しか選択することができない。これらの制御をリモートコントローラ（以下、リモコンという）から簡単に行うことができなかった。
【０００８】
このため、複数の視聴者で複数の番組の画面を試聴することに適していないという問題が発生する。
そこで、本発明では、複数の視聴者が複数の画面の画像と音声の情報をリモコンからの制御によりそれぞれ容易に獲得することができる番組同時視聴システム、番組同時視聴方法及び番組同時視聴プログラムを提供することを目的とするものである。
【課題を解決するための手段】
【０００９】
本発明は、複数の受信部を介して受信した複数の番組の複数の画面を同時に表示部に表示して、音声出力部に音声を出力することにより、複数の視聴者が同時に複数の番組を視聴することができる番組同時視聴システムに適用されるものである。
【００１０】
この番組同時視聴システムは、複数の画面のうちのいずれかの画面の選択及び選択された画面に対する表示処理の操作を入力するための複数の入力手段と、入力手段と画面の相対的位置に基づいて入力手段と画面の割り当てを行う割当手段と、割当手段により割り当てられた入力手段からの画面の選択操作、画面の表示処理の操作及び表示部における画面の表示領域を変更する変更手段とを備え、この変更手段により表示領域が変更された画面を他の画面と共に表示部に表示するものである。
【００１１】
また、本発明は、複数の受信部を介して受信した複数の番組の複数の画面を同時に表示部に表示して、音声出力部に音声を出力することにより、複数の視聴者が同時に複数の番組を視聴することができる番組同時視聴方法に適用されるものである。
【００１２】
この番組同時視聴方法は、複数の画面のうちのいずれかの画面の選択及び選択された画面に対する表示処理の操作を入力手段から入力するための複数の入力ステップと、入力手段と画面の相対的位置に基づいて入力手段と画面の割り当てを行う割当ステップと、割当ステップにより割り当てられた入力手段からの画面の選択操作、画面の表示処理の操作及び表示部における画面の表示状態に基づいて、表示部における画面の表示領域を変更する変更ステップとを含み、この変更ステップにより表示領域が変更された画面を他の画面と共に表示部に表示するものである。
【００１３】
また、本発明は、複数の受信部を介して受信した複数の番組の複数の画面を同時に表示部に表示して、音声出力部に音声を出力することにより、複数の視聴者が同時に複数の番組を視聴することができる番組同時視聴システムのコンピュータにおいて実行される番組同時視聴プログラムに適用されるものである。
【００１４】
この番組同時視聴プログラムは、コンピュータに、複数の画面のうちのいずれかの画面の選択及び選択された画面に対する表示処理の操作を入力手段から入力するための複数の入力を行う機能と、入力手段と画面の相対的位置に基づいて入力手段と画面の割り当てを行う機能と、割当機能により割り当てられた入力手段からの画面の選択操作、画面の表示処理の操作及び表示部における画面の表示状態に基づいて、表示部における画面の表示領域を変更する機能と、表示領域が変更された画面を他の画面と共に表示部に表示する機能とを実現させるものである。
【発明の効果】
【００１５】
本発明によれば、大画面の表示部及び音声出力部により画像及び音声を複数人で試聴する際に、リモコンからの制御により視聴者ごとに各画面の表示サイズを変更することができるという効果を奏する。
【００１６】
また、複数画面の表示部及び音声出力部により画像及び音声を複数人で試聴する際の音声の音像の定位する位置を制御することができる。
【発明を実施するための最良の形態】
【００１７】
以下、本発明の一実施の形態を、図１〜１３を参照しながら詳細に説明する。
本実施の形態の番組同時視聴システムは、複数の番組を受信するチューナーを有し、それぞれの番組をチューナーで受信した画像信号と音声信号を制御することで、大画面の中に複数の画面を表示することができる。また、それぞれの画面の表示状態に対応する音声を出力することができる。それによって、次のようなことができるようになる。
【００１８】
第１に、一人の視聴者が、ディスプレイに表示される複数の受信チャンネルの番組の複数の画面を見ることにより、様々な情報を取得することが可能となる。
第２に、複数人の視聴者が、ディスプレイに表示される複数の受信チャンネルの番組の複数の画面を見ることにより、一つの大画面を複数人で共有することが可能となる。
【００１９】
ここでは、２番目の複数人の視聴者の複数番組同時試聴について考えていくことにする。画面の分割ができない限り、複数人の視聴者での複数番組同時試聴も成り立たないので、大画面の複数分割について説明する。
画面を分割することを考えたときに、人数分に満たない画面に分割する場合、人数分だけ画面を分割する場合、及び人数分以上に画面を分割する場合の３つのケースが考えられる。
【００２０】
一つ目の人数分に満たない画面に分割する場合、というのはＮ（Ｎは自然数）人１受信チャンネル試聴ということである。二つ目の人数分に画面を分割する場合、というのは一人１受信チャンネル試聴ということである。三つ目の人数分以上に画面を分割する場合、というのは一人Ｎ受信チャンネル試聴ということである。本実施の形態では、画面の分割は、何分割でも可能であるので、すべてのパターンに対応が可能である。
【００２１】
画面を分割する方法としては、次のような方法がある。
すなわち、システムの本体に対して赤外線などによりリモコンで操作を行う場合、システムの本体に内蔵されるタッチパネルで操作を行う場合、及びパーソナルコンピュータ（ＰＣ）で操作を行う場合がある。
上述の通り、様々な画面分割の方法が考えられるが、ここでは、そのうちの一つであるリモコンによる操作を行う場合について説明をする。
【００２２】
この操作方法は、第１に、視聴者は複数の画面の中にあるどの画面を分割したいのかをリモコンにより選択する。第２に、この画面選択では、例えばリモコンのジョグダイヤルを利用して、画面の中の任意の画面位置にカーソルを移動させて分割すべき画面を選択する。
もしくは、複数の画面に番号をふり、リモコンのテンキーでその番号を選択することにより画面選択を行うこともできる。
【００２３】
第３に、システムの本体は、選択された画面上に十字のカーソルを出現させる。そのカーソルをリモコンから左右・上下キーにより動かすことにより、視聴者はどの位置で画面を分割するのかを決定する。
【００２４】
もしくは、システムの本体は、後述の画面表示サイズを自動的に変更する時に使う画面特徴量を用いて分割位置の候補をディスプレイに表示し、視聴者はこれと対応させた受信チャンネル数のボタンを押すことにより分割位置を決定する。
【００２５】
もしくは、視聴者のリモコンからの入力指示により、システムの本体は、画面上にポインタを付加したり、赤外線の強度からリモコンが指し示す位置を、システム本体が調べて分割位置を決定する。そして、決定された分割位置により、画面が分割される。
【００２６】
次に、画面の結合について説明する。
画面を結合する場合には、次の二つの場合が考えられる。一つ目は、人数分以上に画面を分割しすぎたので結合する場合、例えば、複数の受信チャンネルの番組を視聴していたが、その必要がなくなった場合である。二つ目は、人数分以下に画面を減らす場合、つまり、他の人と同じ受信チャンネルの番組を視聴するために画面を結合する場合である。
【００２７】
一つ目の人数分以上に分割した画面を結合する場合は、１人Ｎ受信チャンネルの番組試聴を行っている状態から１人１受信チャンネルの番組試聴を行う場合に近づけるということである。二つ目の人数分以下に画面を減らすというのは、例えば、Ｎ人で１受信チャンネルの番組試聴の状態にするということを意味している。
【００２８】
画面の結合は、１つになるまでは可能であるので、以下に示すすべての画面の結合パターンに対応が可能である。
画面を結合する方法には、分割するときと同じでいろいろな方法がある。ここでは、そのうちの一つであるリモコンによる操作について説明をする。
【００２９】
画面結合方法は、以下の手順により行われる。まず、視聴者は画面の中でどの画面同士を結合したいのかを選択する。この画面の選択方法としては、視聴者が例えばリモコンのジョグダイヤルを利用して選択するか、もしくは、画面に番号をふりテンキーでその番号を選択するなど、様々な方法がある。
【００３０】
このようにして選択された画面はマーク表示されるが、もう一度選択されると選択解除される。ここで、選択された画面が隣り合っていない場合には、処理がエラーになる。最後に、選択を決定することにより、画面が結合される。
【００３１】
次に、画面のサイズをどのような場合に変更するかどうかについて、その具体的な例について説明する。
例えば、画面のサイズを変更できるようにすることにより、視聴者自身が興味のある番組であったら画面のサイズを大きくして、じっくり試聴することができる。
【００３２】
また、Ｎ人の人で見ている受信チャンネルの番組だったら画面が大きくないと見にくい。
また、画面のサイズを変更することにより、見え方がどうなるかみてみたいというようなニーズが発生する。このような場合には、画面のサイズを変更する必要性が生じる。
【００３３】
自動的に画面サイズを決定する場合に、画面のサイズを決定する条件としては以下のようなものが考えられる。
第１に、分割された画面（子画面）に対しての音量の比率によって画面サイズが変更されるようにする。
第２に、子画面に対して、さらにいくつの子画面があるかによって画面サイズが変更されるようにする。
【００３４】
第３に、同じ受信チャンネルを見ている人が他にいる場合に画面サイズがその見ている同じ画面の数に応じて変更されるようにする。
第４に、画像の特徴量によって画面サイズが変更されるようにする。
第５に、放送内容に応じて画面のサイズが変更されるようにする。
【００３５】
まず、一つ目の各子画面の音量の比率によっての画面サイズが変更される場合について説明する。各子画面の音量がコンテンツの盛り上がりにより変化する。例えば、サッカーの試合で、日本対ＸＸＸ国などのときに、敵陣の前でのアクション時には、解説の人の音量も大きくなる。また、サポーター（応援）の人の声も大きくなり、総じて音量（出力音量）というものがリモコンで操作する以外にも変化する。
【００３６】
それは、実際に登場する人の興味が向上することを意味すると考えられる。そこで、その変化により、各子画面の出力音量の大きさの比率に応じて、システム本体は、各子画面の画面サイズを変更する。それにより、視聴者の興味のある番組を大きめの画面サイズにすることが可能となる。
【００３７】
二つ目の各子画面に対する子画面の数の比率によっての画面サイズが変更される場合について説明する。分割方法の部分で詳細は述べたが、各子画面に対してさらに画面分割を行うことにより、子画面の中に子画面を作成することができる。そのときに、システム本体は、子画面の中にどのくらい数の子画面があるかをサイズ変更の基準とすることで、より見易い画面サイズに変更することが可能となる。
【００３８】
三つ目の同じ受信チャンネルの番組を見ている人が他にいる場合に画面サイズがその見ている同じ画面の数に応じて変更される場合について説明する。各子画面の受信チャンネルを変更することにより、大画面の中の子画面において同じ受信チャンネルを表示している他の画面がある場合が考えられる。このとき、システム本体は、例えば二つ同じ受信チャンネルであったら二つの画面を一つにすることにより単純には二倍の大きさで試聴することが可能になる。
【００３９】
四つ目の画像の特徴量によって画面サイズが変更されるについて説明する。画像の特徴量としては、例えば、画像のエッジの急峻さ具合い、色合い、ノイズ、平坦の割合といったものが考えられる。
【００４０】
例えば、システム本体は、色合いがきついもの（彩度が大きなもの）は画面サイズを小さくして、逆のものは画面サイズを大きくすると、視聴環境を向上させて視聴者の気持を落ち着かせることができる。
【００４１】
最後に、五つ目の放送内容に応じて画面のサイズが変更されるについて説明する。例えば、番組に合成表示（ＯＳＤ（on-screen display））されるテロップの大きさはある一定以上の大きさがないと視聴者はこれを読み取ることができない。そこで、システム本体は、テロップを抽出してそのサイズがある一定サイズを下回ったときに、画面のサイズを変更する。その結果、テロップなどの文字は見易くなる。
【００４２】
また、画面を拡大する操作方法も、画面の分割や結合で述べた通り様々な方法がある。ここでは、そのうちの一つであるリモコン１３による操作について説明をする。
【００４３】
第１に、視聴者は画面上にあるどの画面を拡大したいのかを選択する。
第２に、画面選択の方法として、例えば視聴者はジョグダイヤルを利用して画面を選択的に移動する。もしくは、画面に番号をふりテンキーでその番号を選択するようにしてもよい。
【００４４】
第３に、システム本体は選択された画面上に中心と画面サイズを表すカーソルを表示し、それを用いてどこを中心にどのくらい拡大するのかを決定する。
第４に、システム本体は拡大をすることにより、画面の外にはみ出た部分に関しては、単純に表示を行わないようにしてもよい（削除する）。
【００４５】
第５に、システム本体は拡大をすることにより、画面の内で他の画面と重なってしまった部分に関しては、透明化表示を行うようにしてもよい。
また、画面を拡大することにより、重なった部分についての処理は以下のようになる。
すなわち、システム本体は重なった両方の画面を半透明にするようにしてもよい。
【００４６】
また、拡大した方の画面を表示しないようにしてもよい（削除する）。また、重なった両方の画面を混ぜて表示するようにしてもよい。
重なった部分については、基本は画面サイズの小さなものを優先的に表示し、動きがある場合には、動いている方を優先的に表示を行うようにするようにしてもよい。この操作により、拡大操作ができる。
【００４７】
このように大画面を複数の画面（子画面）に分割し、分割された画面の番組を複数人で視聴する際に操作するリモコンについてその具体例を説明する。
これは、分割された子画面を制御することができるリモコンで、そのリモコンを用いることにより、以下の制御を行うことができる。
【００４８】
すなわち、その子画面のチャンネルの変更、その子画面の音量の変更、その子画面の画面分割、その子画面の分割された画像の結合を制御することができる。その際、そのリモコン（子リモコン）と画面をどのようにして関連づけを行うかについてその具体的な方法を説明する。
【００４９】
自動で子画面に子リモコンを割り当てる方法には、次のような方法がある。
第１に、リモコン、すなわち視聴者の位置を検出することにより、その位置から一番近いところの画面を割り当てる方法がある。
第２に、リモコン、すなわち視聴者の位置を検出し、その位置が画面に近い場合には一番遠いところの画面を割り当てる方法がある。
【００５０】
一つ目のリモコン、すなわち視聴者の位置を検出することにより、その位置から一番近いところの画面を割り当てる方法について説明する。リモコン、すなわち視聴者の位置を検出するには、いくつか方法がある。
【００５１】
第１は、ディスプレイの画面本体から指向性のある電波を発生させ、その電波をキャッチすることができるリモコンがどの方向にあるかを、システム本体が電波を出す向きを走査することにより位置を求める方法である。
【００５２】
第２は、ディスプレイの画面本体の下部水平方向にアレイ状にリモコン受光部を複数持つことで、リモコンを操作したときの受光部における赤外線コマンドの強度が異なる。その強度を相対的に利用して位置を求める方法である。
【００５３】
第３に、リモコンにＣＣＤ（Charge Coupled Device Image Sensor）を搭載して、リモコンを操作するときに画面の撮影を行う方法がある。リモコン本体が、撮影画面の大きさは、リモコンの位置に応じて異なることを検出する。その撮影画面の大きさを相対的に利用してリモコンの位置を求める方法がある。
【００５４】
第４に、大画面のおかれている空間の回りにセンサーをいくつかとりつけ、システム本体が、リモコンから発する電波をキャッチする時間差をセンサーから取得し、リモコンの位置を計算する方法がある。
【００５５】
ここでは、二番目の方法と三番目の方法についてのリモコンの位置検出について説明をする。まずは、二番目の赤外線の強度に応じたリモコンの位置検出方法について説明をする。
【００５６】
例えば、画面の下の部分に間仕切りを複数用意して、その間にリモコン受光部を配置する。システム本体が、リモコンからの赤外線コマンドの相対強度によりリモコンの方向を判定する。また、赤外線の強度によりリモコンの距離もある程度わかる。
【００５７】
リモコンの位置がわかったら、システム本体が、そこから画面の中でどの画面が一番リモコンに近いか判定を行うことで、そこの画面と子リモコンの割り当てを行うことができる。
【００５８】
まず、子リモコンの割り当て（自動：赤外線）方法について説明する。
図１は、本発明の一実施の形態による子リモコンの割り当て（自動：赤外線）を示すフローチャートである。図１は、システム本体のコンピュータが番組同時視聴プログラムを実行することにより実現される処理を示している。
【００５９】
図１において、まず、リモコン操作時に本体に複数ついている受光部より赤外線の強度を調べる（ステップＳ１）。具体的には、リモコンからの選択及び決定操作に基づいて、システム本体はディスプレイに複数ついている受光部で赤外線コマンドの相対強度による赤外線の強度を調べる。
【００６０】
次に、複数の赤外線の強度より、リモコンがどの位置にあるのかを計算する（ステップＳ２）。具体的には、システム本体は、まず、リモコンからの赤外線コマンドの相対強度によりリモコンの方向を判定し、次に、赤外線の強度によりリモコンの距離を計算する。
【００６１】
子リモコンの位置に応じて画面との割り当て決定する（ステップＳ３）。具体的には、ステップＳ２でリモコンの位置がわかったら、システム本体は、リモコンの位置から画面の中のどの子画面が一番リモコンに近いかの判定を行う。これにより、システム本体は、一番リモコンに近い子画面と子リモコン（子画面に対応するリモコン）の割り当てを行う。
【００６２】
そこで、割り当てが決定された画面が割り当てられたことをユーザに通知する（ステップＳ４）。具体的には、システム本体はディスプレイ上で割り当てが決定された画面を点滅させるか、マークを表示させることにより、ユーザに通知して完了となる。このとき、システム本体はＯＳＤ（On Screen Display）で「この画面でよろしいですか？」と決まった画面に確認メッセージを表示させるようにしてもよい。
【００６３】
そして、再割り当てを行うか否かを判断する（ステップＳ５）。具体的には、システム本体は同じリモコン又は他のリモコンから再度の画面割当のための選択及び決定操作があるか否かを判断する。判断ステップＳ５で、他のリモコンから他の画面割当の選択及び決定操作があるときは、ステップＳ１へ戻って、ステップＳ１〜ステップＳ５までの処理及び判断を繰り返す。
【００６４】
判断ステップＳ５で、再割り当てがないときは、処理を終了する。すなわち、システム本体は、ステップＳ３で割当を決定したリモコンからの赤外線コマンドに基づいて画面の制御をする。
【００６５】
図２は、本発明の一実施の形態による番組同時視聴システムのシステム構成を示すブロック図である。
図２において、番組同時視聴システムは、入力信号１１を信号処理する各処理部１２と、信号処理された各画面毎の信号を統合して図示しないディスプレイに出力信号１９を出力する画面統合部１８を備えている。各処理部１２で処理される信号は、映像信号及び音声信号である。
【００６６】
また、番組同時視聴システムは、リモコン１３からの画面の操作に関する赤外線信号を受光するリモコン受光部１４と、リモコン受光部１４で受光された赤外線信号を解析して各処理部１２に供給するリモコン信号解析部１５を備えている。
【００６７】
また、番組同時視聴システムは、リモコン信号解析部１５で解析されたリモコンＩＤ画面対応信号２０に対応する画面番号を管理する画面番号管理部１６と、画面番号管理部１６で管理される画面番号に対応する画面表示の位置信号２１を画面統合部１８に出力するメモリ１７を備えている。
【００６８】
ここで、リモコンＩＤ画面対応信号２０は、各リモコン１３の識別番号ＩＤと複数の画面に付与される画面番号とを対応つけるための信号である。
また、メモリ１７には、信号の読み書きをするためのメモリ読み書き制御部がある。また、メモリ１７には、図示しないシステム本体のコンピュータが実行可能になるように、番組同時視聴プログラムが格納されている。
【００６９】
図３は、通常視聴時の各処理部の構成図である。
図３において、各処理部１２は、複数の放送番組を選択して同時に受信することができる複数の受信部を有するチューナー２２と、チューナー２２で受信した複数の番組の映像信号で構成される複数の画面のサイズの変更処理を行うサイズ変更処理部２３とを有している。
【００７０】
チューナー２２は、メモリ１７から画面番号に対応するチャンネル情報２５を取得して、リモコン信号解析部１５からのリモコン解析信号２４で選択される複数の放送番組を受信する。サイズ変更処理部２３は、メモリ１７から画面番号に対応する画面のサイズ情報２６を取得して、チューナー２２で受信した複数の放送番組の画面のサイズを変更する。
【００７１】
これにより、通常視聴時に複数の放送番組の画面を後段のディスプレイに映しながら、リモコン１３で表示すべき画面を切り替える処理を行うことができる。このとき、画面の分割数は適宜、選択変更することが可能である。
【００７２】
図４は、子リモコンの割り当て（自動：赤外線）のシステム構成を示すブロック図である。図４の子リモコンの割り当て（自動：赤外線）の番組同時視聴システム構成では、図２に示した通常視聴時の番組同時視聴システムと異なる部分のみを説明する。
【００７３】
図４において、画面分割の番組同時視聴システムは、リモコンの位置を検出して画面の中のどの子画面が一番リモコンに近いかの判定を行い、一番リモコンに近い子画面と子リモコンの割り当てを行うリモコン位置検出統合判定部３１を有している。
【００７４】
リモコン位置検出統合判定部３１は、メモリ１７から画面位置を取得して、選択されている子画面の番号と割り当てた子リモコンのＩＤを対応つけてメモリ１７に格納する。また、メモリ１７には、リモコン受光部１４の赤外線の強度とリモコンの位置とを対応付けるための対応表（比例関係）が格納されている。
なお、各処理部１２は、通常視聴時と同じ構成である。
【００７５】
子リモコンの割り当て（自動：赤外線）において、番組同時視聴システムは、以下のような動作をする。
画面に向けてリモコン１３の「画面の割り当て」ボタンを押したときに、リモコン１３から赤外線が発生する。リモコン信号解析部１５は、リモコン１３より「画面の割り当て」信号を受け取る。リモコン１３から発生した赤外線には、リモコンのＩＤも含まれている。
【００７６】
リモコン信号解析部１５がリモコン１３より「画面の割り当て」信号を受け取ったときに、リモコンのＩＤをリモコン位置検出統合判定部３１に供給する。リモコン位置検出統合判定部３１は、リモコンのＩＤに基づいて、複数のリモコンのうちのどのリモコンからの赤外線なのかを判定する。
【００７７】
このときリモコン受光部１４は、複数の赤外線受光部にてこの赤外線を受信する。この際、まずは受光した赤外線の強度を各受光部にて調べる。その赤外線の強度をリモコン位置検出統合判定部３１に供給する。リモコン位置検出統合判定部３１は、複数の赤外線受光部で受光したどの赤外線の強度が一番強いのかを調べる。ここで、赤外線の強度の判定は、水平垂直方法それぞれについて行う。
【００７８】
これにより赤外線の強度から画面に対するリモコンの位置がわかるので、リモコン位置検出統合判定部３１は、求められた画面に対するリモコンの位置より、リモコンと画面とのリンク付けを行う。
【００７９】
このリンク付けは、画面に対するリモコンの距離が一番近いもの、又は、一番遠いもの、などの様々な手法が考えられる。いずれの手法とするかはユーザが選ぶものとする。
これにより、画面番号管理部１６は、リモコンのＩＤと画面番号と画面位置を対応させて、これをメモリ１７に保存する。そして、画像統合部１８が子リモコンの割り当て後の子画面を読み込んで全画面を合成し、不図示のディスプレイに出力する。
【００８０】
このとき、不図示のディスプレイにおいて、子リモコンの割り当てが決定された画面を点滅させるか、マークを表示させることにより、割り当てが決定をユーザに通知して処理を完了する。
【００８１】
このとき、ＯＳＤで「この画面でよろしいですか？」と割り当てが決まった画面に表示させるとわかりやすいし、再割り当てのループに戻ることもできるようになる。
【００８２】
図５は、赤外線受光部を示す図である。
図５において、ディスプレイの下部４１に、画面の表示領域の外側に水平方向（又は垂直方向）に複数の赤外線受光部４２を設ける。このとき、間仕切りを各受光部毎に設ける。
ここでは、赤外線受光部４２は水平方向のみの配置を示しているが、水平・垂直方向に設置を行う。
【００８３】
リモコン１３の画面に対する位置に応じて、赤外線受光部４２におけるリモコン１３からの赤外線の強度が異なる。すなわち、リモコン１３の画面に対する位置が比較的近い赤外線受光部４２の領域は、リモコン１３からの赤外線コマンドの強度が強い領域４３となる。
【００８４】
逆に、リモコン１３の画面に対する位置が比較的遠い赤外線受光部４２の領域は、リモコン１３からの赤外線コマンドの強度が弱い領域４４となる。
このとき、水平・垂直方向に赤外線の強度を検出することにより、画面の表示領域の平面内の位置を示す奥行き方向の赤外線の強度を検出することができる。
【００８５】
図６は、赤外線強度を示す図である。
図６において、リモコン１３の発光部とシステム本体の赤外線受光部４２の距離が遠くなると、赤外線受光部４２で受信する赤外線波形振幅５２が小さくなる。逆に、距離が近くなると、赤外線受光部４２で受信する赤外線波形振幅５２が大きくなる。
【００８６】
このため、リモコン１３から赤外線コマンドが発せられたとき、赤外線受光部４２において観測される赤外線波形振幅５２を赤外線の強度５１として検出する。
次に、リモコンの位置検出方法の三番目のＣＣＤの撮影画面の大きさを相対的に利用してリモコンの位置を求める方法について説明する。
【００８７】
この場合、リモコンを操作するときに、ユーザはリモコンに内蔵されたＣＣＤを用いて画面を撮影する。
リモコンを操作するときには、リモコンの発光部を画面に向けるということが、操作の条件となる。そのときに撮影された画面の大きさ及び矩形の形状から、システム本体はリモコンの画面に対する位置を算出する。
【００８８】
また、このときに矩形形状が画面のどこかにあるかを認識しやすくするために、リモコンの操作時のみシステム本体は画面の四隅にマーカーを表示するなどの工夫もすることができる。
【００８９】
次に、二つ目のリモコン、すなわち視聴者の位置を検出し、その位置が画面に近い場合には一番遠いところの画面を割り当てる方法について説明する。
【００９０】
リモコンの位置は、一つ目の方法についての説明中で述べたようにして求められているとする。そのときに、システム本体は、リモコンの位置から一番遠い画面を選択し、その画面とリモコンを割り当てる。
【００９１】
一つ目の方法は、視聴者からはほぼ画面を真っ直ぐ見るという試聴スタイルだが、二つ目の方法は、視聴者からは画面を斜めに見ることが多いという試聴スタイルである。真っ直ぐ見た方が視聴者は見易いが、視聴環境が悪く目が悪くなりそうという方にはシステム本体は二つ目の方法をすすめるようにメッセージを表示するようにしてもよい。
【００９２】
水平方向の相対位置検出のみ述べたが、垂直方向にも同様のことを行うと高さ方向の位置も取得することができる。
【００９３】
垂直方向にも同様に画面の斜め方向に高さ方向の基準方向も取得することができる。
以上のように画面と子リモコンの割り当てについて説明をしてきたが、逆に、割り当ての解除を行う場合には、リモコンの解除ボタンを押すことにより解除できるようにするだけでよい。また、他の画面に子リモコンとの割り当てを変更する場合には、解除をしなくても同様の操作で割り当てたい画面を再度決定することで変更が可能である。
【００９４】
図７は、子リモコンの割り当て（自動：ＣＣＤ）方法について説明する。
図７は、本発明の一実施の形態による子リモコンの割り当て（自動：ＣＣＤ）を示すフローチャートである。図７は、システム本体のコンピュータが番組同時視聴プログラムを実行することにより実現される処理を示している。
【００９５】
図７において、まず、リモコン操作時にリモコンに内蔵されているＣＣＤを用いて画面を撮影する（ステップＳ１１）。具体的には、リモコンからの選択及び決定操作に基づいて、リモコン本体はリモコンに内蔵されているＣＣＤを用いて画面を撮影する。
【００９６】
次に、画面からの位置を撮影された画像を用いて算出する（ステップＳ１２）。具体的には、リモコン本体は、まず、ＣＣＤの撮影画像のゆがみによりリモコンの方向を判定し、次に、基準画像に対する撮影画像のゆがみの大きさによりリモコンの距離を計算する。
【００９７】
子リモコンの位置に応じて画面との割り当てを決定する（ステップＳ１３）。具体的には、ステップＳ１２でリモコンの位置がわかったら、リモコン本体は、リモコンの位置から画面の中のどの子画面が一番リモコンに近いかの判定を行う。リモコン本体は、位置判定結果をシステム本体に送る。これにより、システム本体は、一番リモコンに近い子画面と子リモコン（子画面に対応するリモコン）の割り当てを行う。
【００９８】
そこで、割り当てが決定された画面が割り当てられたことをユーザに通知する（ステップＳ１４）。具体的には、システム本体はディスプレイ上で割り当てが決定された画面を点滅させるか、マークを表示させることにより、ユーザに通知して完了となる。このとき、システム本体はＯＳＤ（On Screen Display）で「この画面でよろしいですか？」と決まった画面に確認メッセージを表示させるようにしてもよい。
【００９９】
そして、再割り当てを行うか否かを判断する（ステップＳ１５）。具体的には、システム本体は同じリモコン又は他のリモコンから再度の画面割当のための選択及び決定操作があるか否かを判断する。判断ステップＳ１５で、他のリモコンから他の画面割当の選択及び決定操作があるときは、ステップＳ１１へ戻って、ステップＳ１１〜ステップＳ１５までの処理及び判断を繰り返す。
【０１００】
判断ステップＳ１５で、再割り当てがないときは、処理を終了する。すなわち、システム本体は、ステップＳ１３で割当を決定したリモコンからの赤外線コマンドに基づいて画面の制御をする。
【０１０１】
図８は、ＣＣＤによる画像撮影を示す図である。図８は、図７のステップＳ１１の動作を説明するものである。
図８において、ユーザがリモコン１３を操作すべき画面Ｅ１，Ｅ２，Ｅ３，Ｅ４に向けて撮影操作ボタン６１を押すと、リモコン１３に内蔵されているＣＣＤがその位置から画面Ｅ１，Ｅ２，Ｅ３，Ｅ４を撮像する。撮影操作ボタン６１を用いて取得したＣＣＤの撮影画像６２は画面Ｅ１，Ｅ２，Ｅ３，Ｅ４に対するリモコン１３の位置に応じてゆがんだ形となる。
【０１０２】
そこで、図８のように、システム本体は画面Ｅ１，Ｅ２，Ｅ３，Ｅ４にマーカーＭ１，Ｍ２，Ｍ３，Ｍ４を表示することにより、リモコン本体で取得したＣＣＤの撮影画像６２における画面Ｅ１，Ｅ２，Ｅ３，Ｅ４に対する認識率が向上する。すなわち、ＣＣＤの撮影画像６２が画面Ｅ１，Ｅ２，Ｅ３，Ｅ４よりもどの方向にどのくらいずれているかを認識することができるようになる。
【０１０３】
次に、撮影画像からの位置の算出方法を説明する。
図９は、画像からの位置（左右）の算出方法を示す図である。図１０は、画像からの位置（上下）の算出方法を示す図である。図９、図１０は、リモコン本体におけるＣＣＤで撮影操作により撮影された画像が下記のようなときに、画像からの位置（左右）、画像からの位置（上下）をどのように計算をするのかを説明するものである。
【０１０４】
図９、図１０において、リモコン本体は、予め撮影画像に対する画像からの位置（左右）、画像からの位置（上下）の対応情報をテーブル７１、８１で持つようにする。すなわち、ＣＣＤで基準７４、８４の場所（正面）からの撮影を行い、基準７４、８４の位置に対する画像からの位置７３、８３とする。
【０１０５】
また、基準７４、８４から水平・垂直方向にずれたときに、画像の変化量と実際の位置のずれ量の関係をテーブルとして保持しておくことにより、撮影されたときに、そのテーブルから近い値を取得し、その間は線形補間で補間をして算出が可能となる。
【０１０６】
図９において、テーブルの中身（左右）７１は、撮影画像７２に対する画像からの位置７３の関係になっている。撮影画像７２が基準７４のとき、マーカーの位置関係は、左右のマーカーの大きさが同じで、Ｍ１−Ｍ２＝Ｍ３−Ｍ４の関係である。このとき、画像からの位置７３は正面である。
【０１０７】
撮影画像７２が基準７４から左右の一方に比較的小さくずれたとき、マーカーの位置関係は、左右のマーカーの右の大きさが少し大きく、a（Ｍ１−Ｍ２）＝Ｍ３−Ｍ４(ただし、a＞１)の関係である。このとき、画像からの位置７３は正面から右に５０ｃｍずれである。
【０１０８】
撮影画像７２が基準７４から左右の一方に比較的大きくずれたとき、マーカーの位置関係は、左右のマーカーの右の大きさがかなり大きく、ｂ（Ｍ１−Ｍ２）＝Ｍ３−Ｍ４(ただし、ｂ＞a)の関係である。このとき、画像からの位置７３は正面から右に１００ｃｍずれである。
【０１０９】
逆に、撮影画像７２が基準７４から左右の他方に比較的小さくずれたとき、マーカーの位置関係は、左右のマーカーの左の大きさが少し大きく、Ｍ１−Ｍ２＝a（Ｍ３−Ｍ４）(ただし、a＞１)の関係である。このとき、画像からの位置７３は正面から左に５０ｃｍずれである。
【０１１０】
撮影画像７２が基準７４から左右の他方に比較的大きくずれたとき、マーカーの位置関係は、左右のマーカーの左の大きさがかなり大きく、Ｍ１−Ｍ２＝ｂ（Ｍ３−Ｍ４）(ただし、ｂ＞a)の関係である。このとき、画像からの位置７３は正面から左に１００ｃｍずれである。
【０１１１】
このように、リモコン本体は、左右のマーカーの縦の長さがどのようにかわったかについての割合のデータを持つようにする。
【０１１２】
また、右に１００ｃｍ〜５０ｃｍずれの間は、リモコン本体は、線形補間７５を行うようにする。右に５０ｃｍずれ〜正面の間は、リモコン本体は、線形補間７６を行うようにする。正面〜左に５０ｃｍずれの間は、リモコン本体は、線形補間７７を行うようにする。左に５０ｃｍ〜１００ｃｍずれの間は、リモコン本体は、線形補間７８を行うようにする。
【０１１３】
図１０において、テーブルの中身（上下）８１は、撮影画像８２に対する画像からの位置８３の関係になっている。撮影画像８２が基準８４のとき、マーカーの位置関係は、上下のマーカーの大きさが同じで、Ｍ１−Ｍ３＝Ｍ２−Ｍ４の関係である。このとき、画像からの位置８３は正面である。
【０１１４】
撮影画像８２が基準８４から上下の一方に比較的小さくずれたとき、マーカーの位置関係は、上下のマーカーの上の大きさが少し大きく、Ｍ１−Ｍ３＝ｃ（Ｍ２−Ｍ４）(ただし、ｃ＞１)の関係である。このとき、画像からの位置８３は正面から上に５０ｃｍずれである。
【０１１５】
撮影画像８２が基準８４から上下の一方に比較的大きくずれたとき、マーカーの位置関係は、上下のマーカーの上の大きさがかなり大きく、Ｍ１−Ｍ３＝ｄ（Ｍ２−Ｍ４）(ただし、ｄ＞ｃ)の関係である。このとき、画像からの位置８３は正面から上に１００ｃｍずれである。
【０１１６】
逆に、撮影画像８２が基準８４から上下の他方に比較的小さくずれたとき、マーカーの位置関係は、上下のマーカーの下の大きさが少し大きく、ｃ（Ｍ１−Ｍ３）＝Ｍ２−Ｍ４(ただし、ｃ＞１)の関係である。このとき、画像からの位置８３は正面から下に５０ｃｍずれである。
【０１１７】
撮影画像８２が基準８４から上下の他方に比較的大きくずれたとき、マーカーの位置関係は、上下のマーカーの下の大きさがかなり大きく、ｄ（Ｍ１−Ｍ３）＝Ｍ２−Ｍ４(ただし、ｄ＞ｃ)の関係である。このとき、画像からの位置８３は正面から下に１００ｃｍずれである。
【０１１８】
このように、リモコン本体は、上下のマーカーの横の長さがどのようにかわったかについての割合のデータを持つようにする。
【０１１９】
また、上に１００ｃｍ〜５０ｃｍずれの間は、リモコン本体は、線形補間８５を行うようにする。上に５０ｃｍずれ〜正面の間は、リモコン本体は、線形補間８６を行うようにする。正面〜下に５０ｃｍずれの間は、リモコン本体は、線形補間８７を行うようにする。下に５０ｃｍ〜１００ｃｍずれの間は、リモコン本体は、線形補間８８を行うようにする。
【０１２０】
図１１は、子リモコンの割り当て（自動：ＣＣＤ）のシステム構成を示すブロック図である。図１１の子リモコンの割り当て（自動：ＣＣＤ）の番組同時視聴システム構成では、図２に示した通常視聴時の番組同時視聴システムと異なる部分のみを説明する。
【０１２１】
図１１において、リモコン１３のリモコン内部処理部９１は、画面の画像を図８に示した撮影操作ボタン６１により撮影するＣＣＤ９２と、ＣＣＤ９２による撮影画像とリモコンとの位置を検出してリモコンと最も近い位置の画面を判定するリモコン位置判定部９３を有している。
【０１２２】
リモコン１３のリモコン位置判定部９３からのリモコン位置判定データは、リモコン受光部１４に赤外線により受光され、リモコン受光部１４はリモコン位置判定情報をリモコン画面対応処理部９４に供給する。リモコン画面対応処理部９４は、リモコン位置判定情報に基づいて、リモコンＩＤ画面対応情報を生成してメモリ１７に保存する。
【０１２３】
リモコン信号解析部１５は、リモコン１３から「画面の割り当て」信号を受け取ったときに、マーカー作成部９６にマーカー作成信号を供給する。マーカー作成部９６は、メモリ１７から読み出した画像サイズ９７に応じたマーカーを作成して、画像統合部１８に供給する。
【０１２４】
子リモコンの割り当て（自動：ＣＣＤ）において、番組同時視聴システムは、以下のような動作をする。
画面に向けてリモコン１３の「画面の割り当て」ボタンを押したときに、リモコン１３から赤外線が発生する。リモコン信号解析部１５は、リモコン１３より「画面の割り当て」信号を受け取る。リモコン１３から発生した赤外線には、リモコンのＩＤも含まれている。
【０１２５】
リモコン信号解析部１５がリモコン１３より「画面の割り当て」信号を受け取ったときに、リモコンのＩＤをリモコン位置検出統合判定部３１に供給する。リモコン位置検出統合判定部３１は、リモコンのＩＤに基づいて、複数のリモコンのうちのどのリモコンからの赤外線なのかを判定する。
【０１２６】
リモコン信号解析部１５は、リモコン１３から「画面の割り当て」信号を受け取ったときに、マーカー作成部９６にマーカー作成信号を供給する。マーカー作成部９６は、メモリ１７から読み出した画像サイズ９７に応じたマーカーを作成して、画像統合部１８に供給する。これにより、後段のディスプレイの画面の真ん中に一定距離で四点マーカーが表示される。
【０１２７】
リモコン１３のリモコン内部処理部９１は、図８に示した撮影操作ボタン６１を用いてＣＣＤ９２により撮影された画面の画像を処理する。すなわち、リモコン位置判定部９３は、ＣＣＤ９２による撮影画像とリモコンとの位置を検出してリモコンと最も近い位置の画面を判定する。
【０１２８】
リモコン１３のリモコン位置判定部９３からのリモコン位置判定データは、リモコン受光部１４に赤外線により受光され、リモコン受光部１４はリモコン位置判定情報をリモコン画面対応処理部９４に供給する。リモコン画面対応処理部９４は、リモコン位置判定情報に基づいて、リモコンＩＤ画面対応情報を生成してメモリ１７に保存する。
【０１２９】
これにより撮影画像に基づくリモコン位置判定情報から画面に対するリモコンの位置がわかるので、リモコン画面対応処理部９４は、求められた画面に対するリモコンの位置より、リモコンと画面とのリンク付けを行う。
【０１３０】
このリンク付けは、画面に対するリモコンの距離が一番近いもの、又は、一番遠いもの、などの二種類が考えられる。どちらをとるかユーザが選ぶものとする。
【０１３１】
これにより、画面番号管理部１６は、リモコンのＩＤと画面番号と画面位置を対応させて、これをメモリ１７に保存する。そして、画像統合部１８が子リモコンの割り当て後の子画面を読み込んで全画面を合成し、不図示のディスプレイに出力する。
【０１３２】
このとき、不図示のディスプレイにおいて、子リモコンの割り当てが決定された画面を点滅させるか、マークを表示させることにより、割り当てが決定をユーザに通知して処理を完了する。
【０１３３】
このとき、ＯＳＤで「この画面でよろしいですか？」と割り当てが決まった画面に表示させるとわかりやすいし、再割り当てのループに戻ることもできるようになる。
【０１３４】
このようにして、リモコン１３による画像制御の操作が行われる。
これは、分割された子画面を制御することができるリモコン１３に関する操作方法である。
【０１３５】
このリモコン１３を用いることにより、その子画面のチャンネルの変更、その子画面の音量の変更、その子画面の画面分割、その子画面の分割された画像の結合の制御することができる。
その際、そのリモコン（子リモコン）と画面との関連づけを行うことができる。
【０１３６】
すなわち、子画面に子リモコンを割り当てる場合、リモコン、すなわち視聴者の位置を検出することにより、その位置から一番近いところの画面を割り当てることができる。
また、リモコン、すなわち視聴者の位置を検出し、その位置が画面に近い場合には一番遠いところの画面を割り当てることができる。
【０１３７】
一つ目のリモコン、すなわち視聴者の位置を検出することにより、その位置から一番近いところの画面を割り当てる場合、リモコン、すなわち視聴者の位置を検出するには、いくつか方法がある。
【０１３８】
第１に、ディスプレイの画面本体から指向性のある電波を発生させ、その電波をキャッチすることができるリモコンがどの方向にあるかを、システム本体が電波を出す向きを走査することにより位置を求める方法である。
【０１３９】
第２は、ディスプレイの画面本体の下部水平方向にアレイ状にリモコン受光部を複数持つことで、リモコンを操作したときの受光部における赤外線コマンドの強度が異なる。その強度を相対的に利用して位置を求める方法である。
【０１４０】
ここでは、二番目の方法を用いた位置検出の場合、例えば、ディスプレイの画面の下部水平方向に間仕切りを複数用意して、その間にリモコン受光部を配置する。システム本体は、リモコンからの赤外線コマンドの相対強度によりリモコンの方向を判定する。
【０１４１】
システム本体は、リモコンの位置がわかったら、そこから画面の中でどの画面が一番リモコンに近いか判定を行うことで、そこの画面と子リモコンの割り当てを行うことができる。
【０１４２】
次に、二つ目のリモコン、すなわち視聴者の位置を検出し、その位置が画面に近い場合には一番遠いところの画面を割り当てる。
リモコンの位置は、一つ目の方法についての説明中で述べたようにして求められているとする。そのときに、システム本体は、リモコンの位置から一番遠い画面を選択し、その画面とリモコンを割り当てる。
【０１４３】
一つ目の方法は、視聴者からはほぼ画面を真っ直ぐ見るという試聴スタイルだが、二つ目の方法は、視聴者からは画面を斜めに見ることが多いという試聴スタイルである。真っ直ぐ見た方が視聴者は見易いが、視聴環境が悪く目が悪くなりそうという方にはシステム本体は二つ目の方法をすすめるようにメッセージを表示するようにしてもよい。
水平方向の相対位置検出のみ述べたが、垂直方向にも同様のことを行うと高さ方向の位置も取得することができる。
【０１４４】
以上のように画面と子リモコンの割り当てについて説明してきたが、逆に、割り当ての解除を行う場合には、リモコンの解除ボタンを押すことによりシステム本体が解除できるようにするだけでよい。
【０１４５】
また、他の画面に子リモコンとの割り当てを変更する場合には、解除をしなくても同様の操作で割り当てたい画面を自動で決定することで変更が可能である。
【０１４６】
さらに、複数人で番組の試聴を行うには、音場の制御が必要になってくる。他の人が試聴している音声が自分に聞こえてしまうと自分の注意がそれてしまい、画面に集中できなくなるからである。
【０１４７】
そのようなときに考えられる方法としては、指向性のあるスピーカーを用いて実現する方法、音声信号処理を行い実現する方法がある。
ここでは一つ目の指向性のあるスピーカーを用いて実現に関して説明する。
【０１４８】
まず、第１に、システム本体は子画面の割り当て済の子リモコンの画面に対する相対位置を求める。
第２に、システム本体は子リモコンの位置に合うように音声を制御する。
【０１４９】
具体的な音声の制御方法については、下記の通りである。
リモコンの位置を取得する方法に関しては前述したとおりである。その位置には、視聴者がいるとする。システム本体はその視聴者に音声を届けるわけだが、オーディオスポットライトのような超音波によりごく狭い範囲に的を絞って音を送り届ける技術を利用することにより、実現が可能である。
【０１５０】
これにより、子リモコンを持つ視聴者の位置にのみ視聴者が聞きたい音を届けることができる。
【０１５１】
これにより、大画面を複数人でそれぞれが異なる受信チャンネルの番組を試聴していたときでも、システム本体はそれぞれの試聴個所が特定できるので、大画面からそれぞれの視聴者の場所に適した音声を発生させることにより、それぞれが干渉することなく試聴することが可能になることがわかる。
【０１５２】
ただし、試聴する人どうしの距離があまりにも近い場合は、音声が干渉することによりうまくできないことが起こりうる。このような場合に対応するには、もっと特別な環境をつくる必要がある。
【０１５３】
例えば、個人にしか絶対に聞こえない環境であるヘッドホンを利用するシステムを用いる方法である。そこで、子リモコンにヘッドホンの端子を設けることと、子リモコンと画面の方で音声のやり取りを無線で行うことができるようにする必要がある。
【０１５４】
この無線は、たとえば、ブルーツゥース（Ｂｌｕｅｔｏｏｔｈ）のような近距離の無線通信を用いて行えば良い。もしくは、ヘッドホン自体に無線の機能を付加し、システム本体と直接データ通信を行うことも同義である。ただし、直接システム本体とヘッドホンで通信を行う場合には、ヘッドホンがどの画面に対応しているのかをあらかじめ決定しておく必要がある。
【０１５５】
図１２は、指向性のスピーカーでの音像定位の実現方法を示す図である。
リモコンの位置に視聴者がいるとき、位置自体は画面と対応付けをする際に取得しているので、その位置情報を用いてそこの場所に指向性のあるスピーカーの向きを調整することで実現させる。指向性のあるスピーカーは、オーディオスポットライトのような超音波によりごく狭い範囲に的を絞って音声を届けるものである。
【０１５６】
この指向性のあるスピーカーを画面の周りにいくつかとりつけ、リモコンと対応している子画面の周辺のスピーカーを利用して実現する。
【０１５７】
すなわち、画面Ｅ１を視聴する際には、画面Ｅ１の上側に配置された指向性スピーカーＰ１，Ｐ２，Ｐ３，Ｐ４，Ｐ５，Ｐ６，Ｐ７と，画面Ｅ１の左側に配置された指向性スピーカーＰ８，Ｐ９，Ｐ１０，Ｐ１１により音声出力を行う。
【０１５８】
これにより、指向性スピーカーＰ１〜Ｐ１１により出力される音声は、Ａ１，Ａ２，Ａ３，Ａ４，Ａ５，Ａ６，Ａ７，Ａ８，Ａ９，Ａ１０，Ａ１１のように指向性を有して出力される。従って、１０１で示すリモコンの位置の視聴者１に画面Ｅ１から聞こえるような音像を定位させることができる。
【０１５９】
また、画面Ｅ２を視聴する際には、画面Ｅ２の上側に配置された指向性スピーカーＰ２１，Ｐ２２，Ｐ２３，Ｐ２４，Ｐ２５と，画面Ｅ１の左側に配置された指向性スピーカーＰ２６，Ｐ２７と，画面Ｅ２の右側に配置された指向性スピーカーＰ２８，Ｐ２９により音声出力を行う。
【０１６０】
これにより、指向性スピーカーＰ２１〜Ｐ２９により出力される音声は、Ａ２１，Ａ２２，Ａ２３，Ａ２４，Ａ２５と，Ａ２７，Ａ２９のように指向性を有して出力される。従って、１０２で示すリモコンの位置の視聴者に画面Ｅ２から聞こえるような音像を定位させることができる。
【０１６１】
また、画面Ｅ３を視聴する際には、画面Ｅ３の上側に配置された指向性スピーカーＰ３１，Ｐ３２，Ｐ３３，Ｐ３４，Ｐ３５，Ｐ３６と，画面Ｅ３の右側に配置された指向性スピーカーＰ３７，Ｐ３８，Ｐ３９，Ｐ４０，Ｐ４１により音声出力を行う。
【０１６２】
これにより、指向性スピーカーＰ３１〜Ｐ４１により出力される音声は、図示はしないがＡ３１〜Ａ４１のように指向性を有して出力される。従って、図示しないリモコンの位置の視聴者に音像を定位させることができる。
【０１６３】
ただし、立体感を出すために、多少偏りを持たせて向きを制御する（画面真ん中なら左右上下から音を出す）ことにより、複数のスピーカーからの音声をその場で聞くことができる。
【０１６４】
図１３は、指向性のスピーカーを示す図である。
図１３に示す指向性のスピーカー１１１は、スピーカー本体を上下・左右に回転１１２させることにより、出力向き１１３を調整することができるものである。
【０１６５】
これにより、指向性を有するスピーカーの音声出力の向きを調整することにより、限られた範囲の音像定位を実現させることができる。
【０１６６】
また、子リモコンが複数ある場合に、それらを制御するマスターリモコンを用意するようにしてもよい。
この場合のマスターリモコンの機能として、以下のことが考えられる。
【０１６７】
すなわち、他の視聴者が使っている子リモコンが持ち出された場合、その子リモコンと対応している画面の制御が子リモコンしかできない。そこで、この場合に子リモコンのＩＤを指定することにより、マスターリモコンで画面の制御することができるようにする。
【０１６８】
また、特定の子リモコンを操作している人の音声をヘッドホンで試聴することができるようにする。
このときのマスターリモコンと子リモコンの関係は、複数の子リモコンの上位のマスターリモコンが常に画面の制御することができるようにする。
【０１６９】
なお、上述した本実施の形態例に限らず、本発明の要旨を逸脱しない限り、適宜変更しうることは言うまでもない。
【図面の簡単な説明】
【０１７０】
【図１】本発明の一実施の形態による子リモコンと画面の割り当て（自動：赤外線）処理を示すフローチャートである。
【図２】本発明の一実施の形態による番組同時視聴システムのシステム構成を示すブロック図である。
【図３】通常視聴時の各処理部の構成図である。
【図４】子リモコンの割り当て（自動：赤外線）のシステム構成を示すブロック図である。
【図５】赤外線受光部を示す図である。
【図６】赤外線強度を示す図である。
【図７】子リモコンと画面の割り当て（自動：ＣＣＤ）処理を示すフローチャートである。
【図８】ＣＣＤによる画像撮影を示す図である。
【図９】画像からの位置（左右）の算出方法を示す図である。
【図１０】画像からの位置（上下）の算出方法を示す図である。
【図１１】子リモコンの割り当て（自動：ＣＣＤ）のシステム構成を示すブロック図である。
【図１２】指向性のスピーカーでの音像定位の実現方法を示す図である。
【図１３】指向性のスピーカーを示す図である。
【符号の説明】
【０１７１】
Ｅ１〜Ｅ４…分割画面、１１…入力信号、１２…各処理部、１３…リモコン、１４…リモコン受光部、１５…リモコン信号解析部、１６…画面番号管理部、１７…メモリ、１８…画面統合部、１９…出力信号、２０…リモコンＩＤ画面対応信号、２１…位置信号、２２…チューナー、２３…サイズ変更処理部、２４…リモコン解析信号、２５…チャンネル信号、２６…サイズ信号、３１…リモコン位置検出統合部、４１…ディスプレイの下部、４２…赤外線受光部、４３…赤外線コマンドの強度が強い領域、４４…赤外線コマンドの強度が弱い領域、５１…強度、５２…赤外線波形振幅、６１…撮影ボタン、６２…ＣＣＤの撮影画像、Ｍ１〜Ｍ４…マーカー、７１…テーブル（左右）、８１…テーブル（上下）、９１…リモコン内部処理部、９２…ＣＣＤ、９３…リモコン位置判定部、９４…リモコン画面対応処理部、９６…マーカー作成部、Ｐ１〜Ｐ４１…指向性スピーカー、Ａ１〜Ａ４１…音声、１０１，１０２…視聴者１，視聴者２
【図１】
2009065292.tif 000003
【図２】
2009065292.tif 000004
【図３】
2009065292.tif 000005
【図４】
2009065292.tif 000006
【図５】
2009065292.tif 000007
【図６】
2009065292.tif 000008
【図７】
2009065292.tif 000009
【図８】
2009065292.tif 000010
【図９】
2009065292.tif 000011
【図１０】
2009065292.tif 000012
【図１１】
2009065292.tif 000013
【図１２】
2009065292.tif 000014
【図１３】
2009065292.tif 000015